【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
無線通信システム（４００）においてマルチアンテナ送信可能な送信ノード（４１０）により実行される方法（７００）であって、
複数のアンテナから複数の共通パイロット信号を送信する工程（７１０）と、
受信ノード（４２０）においてデータ復調が改善されるか否かを判定する工程（７３０）と、
データ送信時間の間にデータを前記受信ノード（４２０）へ送信する工程（７５０）と、
前記受信ノード（４２０）において前記データ復調が改善されると判定された場合に１つ以上の復調パイロット信号を前記受信ノードへ（４２０）送信する工程（７６０）と、を有し、
各共通パイロット信号は１本のアンテナから送信され、２つ以上の共通パイロット信号を送信するアンテナはなく、
前記複数の共通パイロット信号は１つ以上のレガシー共通パイロット信号と１つ以上の非レガシーパイロット信号を含み、各レガシー共通パイロット信号は非レガシー共通パイロット信号より高い電力で送信され、
各レガシー共通パイロット信号はレガシー受信ノードと非レガシー受信ノードの両方により識別され、各非レガシー共通パイロット信号は非レガシー受信ノードにより識別されるがレガシー受信ノードにより識別されない、方法。
【請求項２】
前記復調パイロット信号を前記受信ノード（４２０）へ送信する工程（７６０）は、前記データ送信時間に合わせて各復調パイロット信号を送信する工程を含む、請求項１に記載の方法。
【請求項３】
前記復調パイロット信号を前記受信ノード（４２０）へ送信する工程（７６０）は、前記非レガシー共通パイロット信号の一つを送信するために使用されたアンテナと同じアンテナから各復調パイロット信号を送信する工程を含む、請求項１または２に記載の方法。
【請求項４】
前記受信ノード（４２０）において前記データ復調が改善されると判定された場合、前記受信ノード（４２０）へ構成メッセージを送信する工程（７４０）を更に有し、
前記構成メッセージは前記共通パイロット信号と前記復調パイロット信号を監視するように前記受信ノード（４２０）に通知し、
前記構成メッセージは物理層の上位の通信層と共通制御チャネルのうちの一方か両方を介して送信される、請求項１から３のいずれか１項に記載の方法。
【請求項５】
前記構成メッセージは前記データ送信時間の前に送信され、
前記構成メッセージは前記データ送信時間の間に送信される前記データのランクを含み、前記ランクはレガシー閾値ランクより大きい、請求項４に記載の方法。
【請求項６】
前記送信ノード（４１０）から送信された前記複数の共通パイロット信号に基づいてフィードバックを前記受信ノード（４２０）から受信する工程（７２０）を更に有し、前記フィードバックは前記送信ノード（４１０）と前記受信ノード（４２０）との間のチャネルのチャネル状態情報を含み、
前記受信ノード（４２０）においてデータ復調が改善されるか否かを判定する工程（７３０）は、前記チャネル状態情報に基づいて前記受信ノード（４２０）において前記データ復調が前記チャネル状態情報に基づいて改善されるか否かを判定する工程を含み、
前記チャネル状態情報はプレコーディング制御指示とランク指示を含む、請求項１から５のいずれか１項に記載の方法。
【請求項７】
前記フィードバックは前記複数の共通パイロット信号に加えて前記復調パイロット信号に基づくものである、請求項６に記載の方法。
【請求項８】
前記レガシー共通パイロット信号はプライマリパイロット信号と第１のセカンダリパイロット信号を含み、前記複数の共通パイロット信号を送信する工程（７１０）は、前記プライマリパイロット信号と前記第１のセカンダリパイロット信号をそれぞれ第１のアンテナと第２のアンテナから送信する工程を含み、
前記非レガシー共通パイロット信号は第２のセカンダリパイロット信号と第３のセカンダリパイロット信号を含み、前記共通パイロット信号を送信する工程（７１０）は、前記第２のセカンダリパイロット信号と前記第３のセカンダリパイロット信号をそれぞれ第３のアンテナと第４のアンテナから送信する工程を含み、
前記復調パイロット信号は第１の復調パイロット信号と第２の復調パイロット信号を含み、前記復調パイロット信号を送信する工程（７６０）は、前記第１の復調パイロット信号と第２の復調パイロット信号をそれぞれ前記第３のアンテナと前記第４のアンテナから送信する工程を含む、請求項１から７のいずれか１項に記載の方法。
【請求項９】
前記送信ノード（４１０）のコンピュータにより実行されるときに、該コンピュータに請求項１から８のいずれか１項の方法（７００）を行わせるためのコンピュータプログラム。
【請求項１０】
無線通信システム（４００）においてマルチアンテナ送信可能な送信ノード（４１０）であって、
複数のアンテナから複数の共通パイロット信号を送信するように構成されたパイロット送信器（５１０）と、
受信ノード（４２０）においてデータ復調が改善されるか否かを判定するように構成された構成提供器（５２０）と、
データ送信時間の間にデータを前記受信ノード（４２０）へ送信するように構成されたデータ送信器（５３０）と、を有し、
前記構成提供器（５２０）が受信ノード（４２０）において前記データ復調が改善されると判定した場合に、前記パイロット送信器（５１０）は１つ以上の復調パイロット信号を前記受信ノード（４２０）に送信するように構成され、
各共通パイロット信号は１本のアンテナから送信され、２つ以上の共通パイロット信号を送信するアンテナはなく、
前記複数の共通パイロット信号は１つ以上のレガシー共通パイロット信号と１つ以上の非レガシーパイロット信号を含み、各レガシー共通パイロット信号は非レガシー共通パイロット信号より高い電力で送信され、
各レガシー共通パイロット信号はレガシー受信ノードと非レガシー受信ノードの両方により識別され、各非レガシー共通パイロット信号は非レガシー受信ノードにより識別されるがレガシー受信ノードにより識別されない、送信ノード。
【請求項１１】
前記パイロット送信器（５１０）は前記データ送信時間に合わせて各復調パイロット信号を送信するように構成される、請求項１０に記載の送信ノード。
【請求項１２】
前記パイロット送信器（５１０）は前記非レガシー共通パイロット信号の一つを送信するために使用されるアンテナと同じアンテナから各復調パイロット信号を送信するように構成される、請求項１０または１１に記載の送信ノード。
【請求項１３】
前記受信ノード（４２０）において前記データ復調が改善されると判定された場合、前記構成提供器（５２０）は前記受信ノード（４２０）へ構成メッセージを送信するように構成され、
前記構成メッセージは前記共通パイロット信号と前記復調パイロット信号を監視するように前記受信ノード（４２０）に通知し、
前記構成提供器（５２０）は物理層の上位の通信層と共通制御チャネルのうちの一方か両方を介して前記構成メッセージを送信する、請求項１０から１２のいずれか１項に記載の送信ノード。
【請求項１４】
前記構成提供器（５２０）は前記構成メッセージを前記データ送信時間の前に送信するように構成され、
前記構成メッセージは前記データ送信時間の間に送信される前記データのランクを含み、前記ランクはレガシー閾値ランクより大きい、請求項１３に記載の送信ノード。
【請求項１５】
前記パイロット送信器（５１０）から送信された前記複数の共通パイロット信号に基づいてフィードバックを前記受信ノード（４２０）から受信するように構成されたフィードバック受信器（５４０）を更に有し、前記フィードバックは前記送信ノード（４１０）と前記受信ノード（４２０）との間のチャネルのチャネル状態情報を含み、
前記構成提供器（５２０）は前記チャネル状態情報に基づいて前記受信ノード（４２０）において前記データ復調が改善されるか否かを判定するように構成され、
前記チャネル状態情報はプレコーディング制御指示とランク指示を含む、請求項１０から１４のいずれか１項に記載の送信ノード。
【請求項１６】
前記フィードバックは前記複数の共通パイロット信号に加えて前記復調パイロット信号に基づくものである、請求項１５に記載の送信ノード。
【請求項１７】
前記レガシー共通パイロット信号はプライマリパイロット信号と第１のセカンダリパイロット信号を含み、前記パイロット送信器（５１０）は前記プライマリパイロット信号と前記第１のセカンダリパイロット信号をそれぞれ第１のアンテナと第２のアンテナから送信するように構成され、
前記非レガシー共通パイロット信号は第２のセカンダリパイロット信号と第３のセカンダリパイロット信号を含み、前記パイロット送信器（５１０）は前記第２のセカンダリパイロット信号と前記第３のセカンダリパイロット信号をそれぞれ第３のアンテナと第４のアンテナから送信するように構成され、
前記復調パイロット信号は第１の復調パイロット信号と第２の復調パイロット信号を含み、前記パイロット送信器（５１０）は前記第１の復調パイロット信号と第２の復調パイロット信号をそれぞれ前記第３のアンテナと前記第４のアンテナから送信するように構成される、請求項１０から１６のいずれか１項に記載の送信ノード。
【請求項１８】
無線通信システム（４００）においてマルチアンテナ受信可能な受信ノード（４２０）により実行される方法（１０００）であって、
送信ノード（４１０）から複数の共通パイロット信号を受信する工程（１０１０）と、
前記受信ノード（４２０）においてデータ復調が改善されるか否かを判定する工程（１０４０）と、
前記受信ノード（４２０）においてデータ復調が改善されると判定された場合に前記送信ノード（４１０）から１つ以上の復調パイロット信号と１つ以上の共通パイロット信号を受信する工程（１０５０）と、
データ受信時間の間に前記送信ノード（４１０）からデータを受信する工程（１０６０）と、
前記復調パイロット信号が受信された場合に前記復調パイロット信号と前記共通パイロット信号に基づいてデータを復調する工程（１０７０）と、を有し、
各共通パイロット信号は前記送信ノード（４１０）の１本のアンテナから送信され、２つ以上の共通パイロット信号を送信する前記送信ノード（４１０）のアンテナはなく、
前記複数の共通パイロット信号は１つ以上のレガシー共通パイロット信号と１つ以上の非レガシーパイロット信号を含み、各レガシー共通パイロット信号は非レガシー共通パイロット信号より高い電力で送信され、
各レガシー共通パイロット信号はレガシー受信ノードと非レガシー受信ノードの両方により識別され、各非レガシー共通パイロット信号は非レガシー受信ノードにより識別されるがレガシー受信ノードにより識別されない、方法。
【請求項１９】
前記送信ノード（４１０）から前記共通パイロット信号と前記復調パイロット信号を受信する工程（１０５０）は、前記データ受信時間の間に前記復調パイロット信号を聴取する工程を含む、請求項１８に記載の方法。
【請求項２０】
物理層の上位の通信層と共通制御チャネルのうちの一方か両方を介して前記送信ノード（４１０）から構成メッセージを受信する工程（１０３０）を更に有し、
前記受信ノード（４２０）においてデータ復調が改善されるか否かを判定する工程（１０４０）は、前記構成メッセージが前記復調パイロット信号が監視されることを示す場合に前記データ復調は改善されると判定する工程を含む、請求項１８または１９に記載の方法。
【請求項２１】
前記構成メッセージは前記データ受信時間の前に受信され、
前記構成メッセージは前記データ受信時間の間に受信された前記データのランクを含み、
前記受信ノード（４２０）においてデータ復調が改善されるか否かを判定する工程（１０４０）は、前記ランクがレガシー閾値ランクより大きい場合に前記復調パイロット信号が監視されると判定する工程を含む、請求項２０に記載の方法。
【請求項２２】
前記送信ノード（４１０）から受信された前記複数の共通パイロット信号に基づいて前記送信ノード（４１０）にフィードバックを送信する工程（１０２０）を更に有し、前記フィードバックは前記送信ノード（４１０）と前記受信ノード（４２０）との間のチャネルのチャネル状態情報を含み、
前記チャネル状態情報はプレコーディング制御指示とランク指示を含む、請求項１８から２１のいずれか１項に記載の方法。
【請求項２３】
前記フィードバックは前記複数の共通パイロット信号に加えて前記復調パイロット信号に基づくものである、請求項２２に記載の方法。
【請求項２４】
前記レガシー共通パイロット信号はプライマリパイロット信号と第１のセカンダリパイロット信号を含み、前記複数の共通パイロット信号を受信する工程（１０１０）は、前記プライマリパイロット信号と前記第１のセカンダリパイロット信号を聴取する工程を含み、
前記非レガシー共通パイロット信号は第２のセカンダリパイロット信号と第３のセカンダリパイロット信号を含み、前記複数の共通パイロット信号を受信する工程（１０１０）は、前記第２のセカンダリパイロット信号と前記第３のセカンダリパイロット信号を聴取する工程を含み、
前記復調パイロット信号は第１の復調パイロット信号と第２の復調パイロット信号を含み、前記復調パイロット信号と前記共通パイロット信号を受信する工程（１０５０）は、前記第１の復調パイロット信号と第２の復調パイロット信号を聴取する工程を含む、請求項１８から２３のいずれか１項に記載の方法。
【請求項２５】
前記受信ノード（４２０）のコンピュータにより実行されるときに、該コンピュータに請求項１８から２４のいずれか１項の方法（１０００）を行わせるためのコンピュータプログラム。
【請求項２６】
無線通信システム（４００）においてマルチアンテナ受信可能な受信ノード（４２０）であって、
送信ノード（４１０）から複数の共通パイロット信号を受信するように構成されたパイロット受信器（８１０）と、
前記受信ノード（４２０）においてデータ復調が改善されるか否かを判定するように構成された構成設定器（８２０）と、
データ受信時間の間に前記送信ノード（４１０）からデータを受信するように構成されたデータ受信器（８３０）と、を有し、
前記パイロット受信器（８１０）は前記構成設定器（８２０）が前記受信ノード（４２０）におけるデータ復調が改善すると判定した場合に前記送信ノード（４１０）から１つ以上の復調パイロット信号と１つ以上の共通パイロット信号を受信するように構成され、
前記データ受信器（８３０）は前記復調パイロット信号が受信された場合に前記復調パイロット信号と前記共通パイロット信号に基づいてデータを復調するように構成され、
各共通パイロット信号は前記送信ノード（４１０）の１本のアンテナから送信され、２つ以上の共通パイロット信号を送信する前記送信ノード（４１０）のアンテナはなく、
前記複数の共通パイロット信号は１つ以上のレガシー共通パイロット信号と１つ以上の非レガシーパイロット信号を含み、各レガシー共通パイロット信号は非レガシー共通パイロット信号より高い電力で送信され、
各レガシー共通パイロット信号はレガシー受信ノードと非レガシー受信ノードの両方により識別され、各非レガシー共通パイロット信号は非レガシー受信ノードにより識別されるがレガシー受信ノードにより識別されない、受信ノード。
【請求項２７】
前記パイロット受信器（８１０）は前記データ受信時間の間に前記復調パイロット信号を聴取するように構成される、請求項２６に記載の受信ノード。
【請求項２８】
前記構成設定器（８２０）は、
物理層の上位の通信層と共通制御チャネルのうちの一方か両方を介して前記送信ノード（４１０）から構成メッセージを受信し、
前記構成メッセージが前記復調パイロット信号が監視されることを示す場合に前記データ復調は改善されると判定するように構成される、請求項２６または２７に記載の受信ノード。
【請求項２９】
前記構成設定器（８２０）は、
前記データ受信時間の前に前記構成メッセージを聴取するように構成され、前記構成メッセージは前記データ受信時間の間に受信された前記データのランクを含み、
前記ランクはレガシー閾値ランクより大きい場合に前記復調パイロット信号が監視されると判定するように構成される、請求項２８に記載の受信ノード。
【請求項３０】
前記送信ノード（４１０）から受信された前記複数の共通パイロット信号に基づいて前記送信ノード（４１０）にフィードバックを送信するよう構成されたフィードバック提供器（８４０）を更に有し、前記フィードバックは前記送信ノード（４１０）と前記受信ノード（４２０）との間のチャネルのチャネル状態情報を含み、
前記チャネル状態情報はプレコーディング制御指示とランク指示を含む、請求項２６から２９のいずれか１項に記載の受信ノード。
【請求項３１】
前記フィードバックは前記複数の共通パイロット信号に加えて前記復調パイロット信号に基づくものである、請求項３０に記載の受信ノード。
【請求項３２】
前記レガシー共通パイロット信号はプライマリパイロット信号と第１のセカンダリパイロット信号を含み、前記パイロット受信器（８１０）は前記プライマリパイロット信号と前記第１のセカンダリパイロット信号を聴取するように構成され、
前記非レガシー共通パイロット信号は第２のセカンダリパイロット信号と第３のセカンダリパイロット信号を含み、前記パイロット受信器（８１０）は前記第２のセカンダリパイロット信号と前記第３のセカンダリパイロット信号を聴取するように構成され、
前記復調パイロット信号は第１の復調パイロット信号と第２の復調パイロット信号を含み、前記パイロット受信器（８１０）は前記第１の復調パイロット信号と第２の復調パイロット信号を聴取するように構成される、請求項２６から３１のいずれか１項に記載の受信ノード。